(57)【要約】【課題】低背化を可能とする。【解決手段】可動接点５０が取り付けられたロータ４０はボディ３０に回転可能に収容保持され、ノブ６０はロータ４０と横並びとされてボディ３０に収容保持され、移動可能とされる。ロータ４０の軸心方向一端側及び他端側の外周面にはそれぞれ複数の第１の歯４３、第２の歯４４が周方向に互い違いに配列されて突出形成されている。これら第１の歯４３及び第２の歯４４にはそれぞれ傾斜面４３ａ，４４ａが形成されている。ノブ６０にはロータ４０に向って突部６３が突出形成されており、突部６３はノブ６０の押下操作により傾斜面４４ａを押してロータ４０を回転させ、かつノブ６０の復帰動作により傾斜面４３ａを押してロータ４０を回転させる。【選択図】図２
2014135136.tif 000002
【特許請求の範囲】
【請求項１】
一面が開放された箱状をなすボディと、
円柱状をなし、回転軸心が前記一面と直交する方向とされて前記ボディに回転可能に収容保持され、回転軸心方向一端側の外周面に複数の第１の歯が周方向に配列されて突出形成され、回転軸心方向他端側の外周面に前記第１の歯と同数の第２の歯が周方向に前記第１の歯と互い違いに配列されて突出形成されているロータと、
前記ボディの内部底面において前記回転軸心を中心とする円周上に配列形成された固定接点と、
前記ロータの前記他端側の端面に取り付けられて前記固定接点と摺動接触する可動接点と、
前記ロータの前記一端側の端面と接して前記ボディの前記一面を蓋するカバーと、
前記カバーに形成されている開口から外部に突出して押下操作される操作部と、前記カバーによって抜け止めされる基部と、前記ロータに向って前記基部から突出形成された突部とを備え、前記一面と直交する方向に移動可能とされ、かつ前記ロータと横並びとされて前記ボディに収容保持されたノブと、
前記ノブを前記開口から突出する方向に付勢するばねとよりなり、
前記第２の歯の前記一端側の側面は、前記ロータの回転方向と反対方向において前記一端側の端面より遠ざかるように傾斜された第１の傾斜面とされ、
前記第１の歯の前記他端側の側面は、前記回転方向と反対方向において前記他端側の端面より遠ざかるように傾斜された第２の傾斜面とされ、
前記第１の歯の、前記第２の傾斜面に続いて前記回転方向の後方に位置する後方側面は、前記回転軸心方向と平行とされており、
初期状態において前記突部は前記後方側面が位置する高さ位置において隣接する前記第１の歯間に位置し、
前記突部は、前記ノブの押下操作により前記第１の傾斜面を押して前記ロータを回転させ、かつ前記ノブの復帰動作により前記第２の傾斜面を押して前記ロータを回転させることを特徴とするプッシュスイッチ。
【請求項２】
請求項１記載のプッシュスイッチにおいて、
前記ボディの前記内部底面に、前記ノブを案内するノブ案内軸が突出形成されていることを特徴とするプッシュスイッチ。
【請求項３】
請求項２記載のプッシュスイッチにおいて、
前記ノブは前記ノブ案内軸が挿入され、前記ノブ案内軸の外周面によって案内される穴を有することを特徴とするプッシュスイッチ。
【請求項４】
請求項３記載のプッシュスイッチにおいて、
前記穴は貫通穴とされ、
前記ノブ案内軸に前記ボディの底面に開口する貫通穴が形成されていることを特徴とするプッシュスイッチ。
【請求項５】
請求項３又は４記載のプッシュスイッチにおいて、
前記ばねはコイルばねとされ、前記ノブ案内軸回りに位置して前記ボディの前記内部底面と前記ノブとの間に挟み込まれていることを特徴とするプッシュスイッチ。
【請求項６】
請求項１乃至５記載のいずれかのプッシュスイッチにおいて、
前記ボディの前記内部底面に、前記ロータを支持するロータ支持軸が突出形成されていることを特徴とするプッシュスイッチ。
【請求項７】
請求項１乃至６記載のいずれかのプッシュスイッチにおいて、
前記ボディの前記内部底面における前記固定接点の内周側に凹凸が周方向に配列されて形成され、
前記凹凸と摺動接触する凸部が前記可動接点に一体形成されていることを特徴とするプッシュスイッチ。
【請求項８】
請求項１乃至６記載のいずれかのプッシュスイッチにおいて、
前記ロータの前記一端側の端面に凹凸が前記回転軸心を中心とする周方向に配列されて形成され、
前記凹凸と摺動接触する凸部が前記カバーに形成されていることを特徴とするプッシュスイッチ。
【発明の詳細な説明】
【技術分野】
【０００１】
この発明はノブ（押しボタン）を押下操作すると、可動接点が回転し、ＯＮ／ＯＦＦが切り替わるオルタネート式のプッシュスイッチに関する。
【背景技術】
【０００２】
図１５及び１６はこの種のプッシュスイッチの従来例として、特許文献１に記載されている構成を示したものである。図１５はスイッチが各部に分解された状態を示しており、スイッチ１０はアクチュエータハウジング部１１と、押しボタン１２と、アクチュエータカムフォロワー１３と、リターンスプリング１４と、回転接触要素１５を保持した回転接触担持体１６と、固定接触要素１７が設けられた固定接触ハウジング部１８と、被覆部１９とからなる。
【０００３】
この例では押しボタン１２が押圧されると、アクチュエータカムフォロワー１３は押しボタン１２により所定位置まで下向きに動かされた後、回転し、この回転によりアクチュエータカムフォロワー１３と係合されている回転接触担持体１６が回転して回転接触要素１５の回転接触部と固定接触要素１７の固定接触部との接触状態が切り替わるものとなっている。
【０００４】
アクチュエータカムフォロワー１３の回転は、押しボタン１２とアクチュエータカムフォロワー１３の歯の長手方向軸の偏位及び押しボタン１２とアクチュエータカムフォロワー１３にそれぞれ設けられているカム表面によって生じるものとなっている。なお、回転接触担持体１６は四角形のステム１６ａがアクチュエータカムフォロワー１３に形成されている四角状孔部に挿入されて係合されており、アクチュエータカムフォロワー１３はステム１６ａに対して直線状に移動しうるものとなっている。
【０００５】
図１６は上述したスイッチ１０が基板２０上に搭載された状態を示しており、図１６では基板２０上にスイッチ１０が３つ搭載されている。
【先行技術文献】
【特許文献】
【０００６】
【特許文献１】特許第２７７９９５１号公報
【発明の概要】
【発明が解決しようとする課題】
【０００７】
ところで、上述したスイッチ１０では押しボタン１２、アクチュエータカムフォロワー１３及び回転接触要素１５を保持する回転接触担持体１６は一直線上に配置され、回転接触担持体１６の上にアクチュエータカムフォロワー１３及び押しボタン１２が順次積み上げられた構成となっている。従って、スイッチ１０の高背化は否めず、この種のプッシュスイッチにおいて低背化が要求される場合にはその要求に答えられないものとなっていた。
【０００８】
この発明の目的はこの問題に鑑み、ノブを押下操作すると可動接点が回転する構造を有するオルタネート式のプッシュスイッチにおいて、従来に比し、大幅に低背化を図ることができるようにしたプッシュスイッチを提供することにある。
【課題を解決するための手段】
【０００９】
請求項１の発明によれば、プッシュスイッチは、一面が開放された箱状をなすボディと、円柱状をなし、回転軸心が前記一面と直交する方向とされてボディに回転可能に収容保持され、回転軸心方向一端側の外周面に複数の第１の歯が周方向に配列されて突出形成され、回転軸心方向他端側の外周面に第１の歯と同数の第２の歯が周方向に第１の歯と互い違いに配列されて突出形成されているロータと、ボディの内部底面において前記回転軸心を中心とする円周上に配列形成された固定接点と、ロータの前記他端側の端面に取り付けられて固定接点と摺動接触する可動接点と、ロータの前記一端側の端面と接してボディの前記一面を蓋するカバーと、カバーに形成されている開口から外部に突出して押下操作される操作部とカバーによって抜け止めされる基部とロータに向って基部から突出形成された突部とを備え、前記一面と直交する方向に移動可能とされ、かつロータと横並びとされてボディに収容保持されたノブと、ノブを前記開口から突出する方向に付勢するばねとよりなり、第２の歯の前記一端側の側面はロータの回転方向と反対方向において前記一端側の端面より遠ざかるように傾斜された第１の傾斜面とされ、第１の歯の前記他端側の側面は前記回転方向と反対方向において前記他端側の端面より遠ざかるように傾斜された第２の傾斜面とされ、第１の歯の、第２の傾斜面に続いて前記回転方向の後方に位置する後方側面は前記回転軸心方向と平行とされており、初期状態において前記突部は前記後方側面が位置する高さ位置において隣接する第１の歯間に位置し、前記突部はノブの押下操作により第１の傾斜面を押してロータを回転させ、かつノブの復帰動作により第２の傾斜面を押してロータを回転させるものとされる。
【００１０】
請求項２の発明では請求項１の発明において、ボディの内部底面にノブを案内するノブ案内軸が突出形成されているものとされる。
請求項３の発明では請求項２の発明において、ノブはノブ案内軸が挿入され、ノブ案内軸の外周面によって案内される穴を有する。
請求項４の発明では請求項３の発明において、前記穴は貫通穴とされ、ノブ案内軸にボディの底面に開口する貫通穴が形成されているものとされる。
【００１１】
請求項５の発明では請求項３又は４の発明において、ばねはコイルばねとされ、ノブ案内軸回りに位置してボディの内部底面とノブとの間に挟み込まれているものとされる。
請求項６の発明では請求項１乃至５のいずれかの発明において、ボディの内部底面にロータを支持するロータ支持軸が突出形成されているものとされる。
請求項７の発明では請求項１乃至６のいずれかの発明において、ボディの内部底面における固定接点の内周側に凹凸が周方向に配列されて形成され、前記凹凸と摺動接触する凸部が可動接点に一体形成されているものとされる。
【００１２】
請求項８の発明では請求項１乃至６のいずれかの発明において、ロータの前記一端側の端面に凹凸が回転軸心を中心とする周方向に配列されて形成され、前記凹凸と摺動接触する凸部がカバーに形成されているものとされる。
【発明の効果】
【００１３】
この発明によれば、ノブと、可動接点を保持し、ノブの押下操作により回転するロータとは、従来のように一直線上に配置されるのではなく、ボディ内に並設され、横並びの状態で配置されるものとなっている。よって、従来に比し、大幅に低背化を図ることができる。
【００１４】
加えて、この発明ではノブとロータの２部品で上下動作を回転動作に変換することができるため、図１５に示した従来例のように押しボタンとアクチュエータカムフォロワーと回転接触担持体の３部品を用いて上下動作を回転動作に変換する構成に比し、部品点数を削減することができ、その点で安価に構成することができる。
【図面の簡単な説明】
【００１５】
【図１】Ａはこの発明によるプッシュスイッチの第１の実施例を示す斜視図、ＢはＡを下方から見た斜視図。
【図２】図１に示したプッシュスイッチの拡大断面図。
【図３】図１に示したプッシュスイッチの、図２中に示したＡ−Ａ線の拡大断面図。
【図４】図１に示したプッシュスイッチの分解斜視図。
【図５】Ａは図４におけるボディの平面図、Ｂはその正面図。
【図６】Ａは図４におけるロータの平面図、Ｂはその正面図。
【図７】Ａは図４における可動接点の正面図、Ｂはその底面図。
【図８】Ａは図４におけるノブの正面図、Ｂはその左側面図。
【図９】図１に示したプッシュスイッチの動作を説明するための図。
【図１０】図１に示したプッシュスイッチの動作を説明するための図。
【図１１】この発明によるプッシュスイッチの第２の実施例におけるロータの構成を示す斜視図。
【図１２】Ａはこの発明によるプッシュスイッチの第２の実施例を示す平面図、Ｂはその断面図。
【図１３】この発明によるプッシュスイッチの第３の実施例を示す分解斜視図。
【図１４】Ａはこの発明によるプッシュスイッチの第４の実施例を示す斜視図、Ｂはその正面図。
【図１５】従来のプッシュスイッチの構成を示す分解斜視図。
【図１６】図１５に示したプッシュスイッチの基板上への搭載状態を示す斜視図。
【発明を実施するための形態】
【００１６】
この発明の実施形態を図面を参照して実施例により説明する。
【００１７】
図１はこの発明によるプッシュスイッチの第１の実施例の外観を示したものであり、図２及び３はその断面構造を示したものである。また、図４は各部に分解して示したものである。この例ではプッシュスイッチ１００は固定接点がインサート成形されたボディ３０とロータ４０と可動接点５０とノブ６０とコイルばね７０とカバー８０とによって構成されている。図５〜８はボディ３０、ロータ４０、可動接点５０及びノブ６０の詳細をそれぞれ示したものである。まず、各部の構成について説明する。
【００１８】
ボディ３０は一面（上面）３０ａが開放された箱状とされ、この例では直方体形状をなすものとされている。ボディ３０の内部底面３０ｂには、この例ではロータ支持軸３１とノブ案内軸３２が一面３０ａと直交する方向に、互いに平行に突出形成されている。ロータ支持軸３１は円柱状をなし、ノブ案内軸３２はボディ３０の底面３０ｃに開口する貫通穴３３を有する円筒状とされている。貫通穴３３の底面３０ｃ側の開口部は図２に示したようにさら穴形状とされて拡径されている。
【００１９】
ボディ３０の内部底面３０ｂにおけるロータ支持軸３１の回りには環状の凹部３４ａが形成され、この凹部３４ａに複数の凸条３４ｂが放射状に配列されて形成されている。凸条３４ｂは図５Ａに示したように幅狭とされ、この例では等角間隔で１２本形成されており、これら凸条３４ｂと凹部３４ａにより周方向に配列された凹凸３４が形成されている。
【００２０】
凹凸３４の回りの内部底面３０ｂには環状の凹部３５がさらに形成され、この凹部３５に固定接点９１ａ，９１ｂ，９２ａ，９２ｂ，９３が配置されている。これら固定接点９１ａ，９１ｂ，９２ａ，９２ｂ，９３はロータ支持軸３１を囲む（ロータ４０の回転軸心を中心とする）円周上に配列されており、固定接点９１ａ，９１ｂ，９２ａ，９２ｂは中心角の小さい円弧形状とされ、固定接点９３は中心角の大きい円弧形状とされている。
【００２１】
固定接点９１ａ，９１ｂ，９２ａ，９２ｂ，９３の位置する角度位置は、図５Ａにおいて固定接点９１ａの角度位置を例えば０°とし、右回りに見た時、固定接点９１ｂは６０°、固定接点９２ａは１５０°、固定接点９２ｂは２１０°の角度位置にそれぞれ位置し、固定接点９３は２４０°〜３３０°の角度位置を包含するように位置されている。各固定接点９１ａ，９１ｂ，９２ａ，９２ｂ，９３の上面（露出面）は凹部３５の底面と同一面上に位置されている。
【００２２】
固定接点９１ａ，９１ｂ，９２ａ，９２ｂ，９３はボディ３０にインサート成形されて設けられており、固定接点９１ａと９１ｂはボディ３０内において一体となっている。同様に、固定接点９２ａと９２ｂもボディ３０内において一体となっている。固定接点９１ａ，９１ｂと一体形成されている端子９１ｃはボディ３０の底面３０ｃから側壁３０ｄにまたがって露出されて配置され、固定接点９２ａ，９２ｂと一体形成されている端子９２ｃはボディ３０の底面３０ｃから側壁３０ｅにまたがって露出されて配置されている。また、固定接点９３にはこの例では２つの端子９３ｃが一体形成されており、これら端子９３ｃはボディ３０の底面３０ｃから側壁３０ｄ，３０ｅにそれぞれまたがって露出されて配置されている。
【００２３】
ロータ４０は円柱状をなし、その一端側の端面（上面）４０ａの周縁部には全周に渡って突条４１が形成されている。突条４１の先端は半円筒面をなす。一方、ロータ４０の他端側の端面（下面）４０ｂの中央にはボディ３０のロータ支持軸３１が挿入される穴４２（図２参照）が形成されている。
【００２４】
ロータ４０の外周面には複数の第１の歯４３及び第２の歯４４がそれぞれ突出形成されている。第１の歯４３はロータ４０の上端側（回転軸心方向一端側）に周方向に配列されて形成されており、第２の歯４４はロータ４０の下端側（回転軸心方向他端側）に周方向に配列されて形成されている。第１の歯４３及び第２の歯４４はこの例ではそれぞれ３０°ピッチで１２個形成されており、第１の歯４３と第２の歯４４は周方向において互い違いに位置するように配列され、即ち１５°ずれて配列されている。
【００２５】
図６中の矢印ａはロータ４０の回転方向を示し、第２の歯４４の上端側の側面はロータ４０の回転方向ａと反対方向においてロータ４０の上面４０ａより遠ざかるように傾斜された第１の傾斜面４４ａとされている。一方、第１の歯４３の下端側の側面はロータ４０の回転方向ａと反対方向においてロータ４０の下面４０ｂより遠ざかるように傾斜された第２の傾斜面４３ａとされている。また、第１の歯４３の、傾斜面４３ａに続いてロータ４０の回転方向ａの後方に位置する後方側面４３ｂはロータ４０の回転軸心方向と平行とされている。なお、第２の歯４４の、傾斜面４４ａに続いてロータ４０の回転方向ａの後方に位置する後方側面４４ｂもこの例ではロータ４０の回転軸心方向と平行とされている。
【００２６】
ロータ４０の下面４０ｂには可動接点５０を取り付けるためのボス４５が３本突出形成されている。
【００２７】
固定接点９１ａ，９１ｂ，９２ａ，９２ｂ，９３と摺動接触する可動接点５０は図７に示したように、この例では３つの摺動子５１を有する。摺動子５１は円弧状をなし、円環部５２の外側に円環部５２に沿って１２０°ピッチで設けられている。各摺動子５１は基端側を除いて２本に分割されており、先端には円弧形状をなすように曲げられてなる接点部５１ａが形成されている。
【００２８】
可動接点５０には３つの取り付け穴５３が形成されており、この例ではボディ３０に形成された凹凸３４と摺動接触する２つの凸部５４が可動接点５０に一体形成されている。凸部５４は円環部５２の内側に支持部５５に支持されて設けられており、２つの凸部５４は互いに１８０°をなす位置に位置されている。凸部５４の突出方向は図７Ａに示したように摺動子５１の接点部５１ａの突出方向と同じとされている。
【００２９】
ノブ６０は基部６１と、基部６１上に突出形成されて押下操作される操作部６２と、基部６１から側方に突出形成された突部６３とを有する。操作部６２は外形が角柱状とされ、中央には円形の貫通穴６４が上下方向に形成されている。
【００３０】
基部６１はその上面６１ａが操作部６２の上面６２ａより大きい直方体状とされており、基部６１には操作部６２の貫通穴６４と中心が一致され、かつ連通されて貫通穴６４より大径の穴６５が上下方向に貫通して形成されている。
【００３１】
突部６３は基部６１の一側面６１ｂの中央に形成されており、断面楔形状をなし、楔の先端は円弧状をなすように丸められている。なお、側面６１ｂと反対側の側面６１ｃには穴６５がかかり、これにより側面６１ｃは切り欠かれた状態となっている。この側面６１ｃの幅方向両端には上下方向に延びる突条６６が突出形成されており、また他の側面６１ｄ，６１ｅにもそれぞれ幅方向一端に突条６６が同様に突出形成されている。
【００３２】
カバー８０は金属板が折り曲げられて形成されている。方形状の平板部８１はボディ３０の上面３０ａを蓋する大きさとされ、その平板部８１の一半部には方形の開口８２が形成されている。平板部８１の４辺にはそれぞれ平板部８１から直角に折り曲げ形成されてなる脚部８３〜８６が設けられており、各脚部８３〜８６には係止窓８７がそれぞれ形成されている。
【００３３】
以下、各部の組み立てについて説明する。
【００３４】
可動接点５０はその３つの取り付け穴５３にロータ４０のボス４５がそれぞれ挿通され、ボス４５の先端が熱かしめされることによってロータ４０の下面４０ｂに取り付け固定される。可動接点５０が取り付けられたロータ４０はボディ３０内に組み込まれ、下面４０ｂに形成されている穴４２にボディ３０のロータ支持軸３１が挿入されることによって図２に示したようにロータ４０はロータ支持軸３１に回転可能に支持される。
【００３５】
一方、ボディ３０のノブ案内軸３２の回りにはコイルばね７０が組み込まれる。ノブ案内軸３２はコイルばね７０を挿通し、これによりコイルばね７０はノブ案内軸３２に位置決めされた状態となる。なお、コイルばね７０の下端はノブ案内軸３２の回りのボディ３０の内部底面３０ｂに形成されている環状の凹部３６に収容位置決めされる。
【００３６】
ノブ６０はコイルばね７０上に搭載される。コイルばね７０の上面側はノブ６０の基部６１に形成されている穴６５に収容され、コイルばね７０の上端は穴６５と操作部６２の貫通穴６４の境界の段部６７に突き当たった状態となる。ノブ案内軸３２の上端は貫通穴６４内に挿入位置される。
【００３７】
最後に、カバー８０がボディ３０に取り付けられる。カバー８０の４つの脚部８３〜８６に形成されている係止窓８７はボディ３０の側壁３０ｄ〜３０ｇにそれぞれ形成されている係止突起３７に係止され、これによりカバー８０がボディ３０に取り付け固定され、ボディ３０の上面３０ａが蓋される。ロータ４０の上面４０ａの突条４１及びノブ６０の基部６１の上面６１ａはカバー８０の内面と当接し、ロータ４０及びノブ６０はカバー８０によって押さえ込まれた状態となる。ノブ６０の操作部６２はカバー８０の開口８２から外部に突出される。
【００３８】
上記のような構成を有するプッシュスイッチ１００では、ボディ３０の内部底面３０ｂとノブ６０との間に挟み込まれたコイルばね７０によりノブ６０はカバー８０の開口８２から突出する方向に付勢される。なお、ノブ６０はカバー８０によって基部６１が抜け止めされている。ノブ６０の突部６３は図２に示したようにロータ４０に向って突出しており、図２に示した初期状態（ノブ６０の非操作状態）では突部６３は図３に示したようにロータ４０の第１の歯４３の後方側面４３ｂが位置する高さ位置において隣接する第１の歯４３間に位置されている。ノブ６０は上下方向に移動可能とされており、貫通穴６４がノブ案内軸３２の外周面に案内されて上下動するものとなっている。
【００３９】
次に、上述したプッシュスイッチ１００の動作について説明する。
【００４０】
図９の（１）〜（５）はノブ６０の押下操作に伴うロータ４０の回転動作を順に示したものであり、図９（１）の初期状態（ノブ６０の非操作状態）では前述したようにノブ６０の突部６３はロータ４０の隣接する第１の歯４３間に位置している。ノブ６０が押下されると、突部６３は下降して図９（２）に示したように第２の歯４４の傾斜面４４ａに当接し、突部６３は傾斜面４４ａを押してロータ４０を矢印ａ方向に回転させる。図９（３）はノブ６０が完全に押し下げられた状態を示している。
【００４１】
図９（４），（５）はノブ６０に対する押圧が解除され、ノブ６０がコイルばね７０の弾性復元力により復帰動作している途中を順に示したものであり、突部６３は上昇し、この突部６３によって第１の歯４３の傾斜面４３ａが押される。これにより、ロータ４０はさらに矢印ａ方向に回転する。このように、ロータ４０はノブ６０の押下操作及び復帰動作のいずれにおいても回転動作するものとなっている。ロータ４０はこの例ではノブ６０の１回の押下操作と復帰動作、即ち図９の（１）→（２）→（３）→（４）→（５）→（１）の動作により３０°回転する。
【００４２】
図１０の（１）〜（５）は上述した図９の（１）〜（５）の動作と対応して、可動接点５０の接点部５１ａと固定接点９１ａ，９１ｂ，９２ａ，９２ｂ，９３との位置関係及び可動接点５０に一体形成されている凸部５４とボディ３０の凹凸３４との位置関係を示したものであり、凸部５４の位置は●で示している。
【００４３】
プッシュスイッチ１００はこの例では固定接点９１ａ，９１ｂと固定接点（共通接点）９３とよりなり、ＯＮ／ＯＦＦされる回路Ｃ１と、固定接点９２ａ，９２ｂと固定接点９３とよりなり、ＯＮ／ＯＦＦされる回路Ｃ２の２つの回路を有するものとなっており、これら回路Ｃ１，Ｃ２はノブ６０を押下操作する毎にＯＮ／ＯＦＦが切り替わり、また回路Ｃ１がＯＮの時には回路Ｃ２はＯＦＦとなり、回路Ｃ１がＯＦＦの時には回路Ｃ２がＯＮとなるように構成されている。以下、図１０を参照して説明する。
【００４４】
図１０（１）の初期状態では接点部５１ａは固定接点９２ａと９３上に位置しており、回路Ｃ２はＯＮ、回路Ｃ１はＯＦＦとなっている。ロータ４０の回転に伴い、３つの接点部５１ａは図１０の（２）→（３）→（４）→（５）に示したように移動し、ノブ６０が押下操作及び復帰動作を経て初期位置に復帰すると、接点部５１ａは固定接点９１ｂと９３上に位置する状態となる。よって、回路Ｃ２はＯＦＦとなり、回路Ｃ１がＯＮとなる。以下、ロータ４０の３０°の回転毎に、接点部５１ａの位置は、
固定接点９２ｂ，９３→９１ａ，９３→９２ａ，９３
となって図１０（１）の位置に戻る。これに伴い、回路Ｃ１，Ｃ２は、
Ｃ１：ＯＦＦ，Ｃ２：ＯＮ→Ｃ１：ＯＮ，Ｃ２：ＯＦＦ→Ｃ１：ＯＦＦ，Ｃ２：ＯＮ
となり、交互にＯＮとなる。
【００４５】
一方、凸部５４はロータ４０の３０°の回転毎に、凹凸３４の凸条３４ｂを１つ通過し、ノブ６０の初期位置では凹凸３４の凹部３４ａに位置するものとなっている。これにより、この例ではノブ６０の押下操作時に良好な節度感（動作感触）が得られるものとなっており、またロータ４０及び接点部５１ａの位置を規制することができるものとなっている。
【００４６】
上述した第１の実施例では、固定接点９１ａ，９１ｂ，９２ａ，９２ｂ，９３の内周側においてボディ３０の内部底面３０ｂに形成した凹凸３４と、可動接点５０に一体形成した凸部５４とによって節度感が得られるものとなっているが、他の構成を採用することもできる。
【００４７】
図１１及び１２は節度感を生成するための構成として、第１の実施例とは異なる構成を採用したこの発明の第２の実施例を示したものである。
【００４８】
この例では図１１に示したようにロータ４０’の上面４０ａに凹凸４６を形成し、この凹凸４６と摺動接触する凸部８８を図１２に示したようにカバー８０’に形成したものとなっている。ロータ４０’の凹凸４６は突条４１で囲まれた上面４０ａに複数の凸条４６ａを放射状に配列形成して構成されており、これにより第１の実施例における凹凸３４と同様、回転軸心を中心とする周方向に配列された凹凸４６が形成されている。凸条４６ａはこの例では等角間隔で１２本形成されている。なお、ロータ４０’の上面４０ａの中央には１段低い円形の凹部４７が形成されている。
【００４９】
カバー８０’の凸部８８は図１２Ａに示したように平板部８１に切り抜かれて形成された接片８９の先端に内面側に突出して形成されている。節度感を得ると共にロータ４０’、接点部５１ａの位置を規制する構成として、この図１１及び１２に示したような構成を採用してもよい。なお、この例ではボディ３０’は凹凸３４のない構成とされ、可動接点５０’は凸部５４及び支持部５５のない構成とされている。
【００５０】
次に、図１３に示したこの発明の第３の実施例について説明する。
【００５１】
図１３はこの発明によるプッシュスイッチの第３の実施例を各部に分解して示したものであり、この例ではボディ３０”はノブ案内軸３２がない構成とされ、ボディ３０”の互いに対向する側壁３０ｄ，３０ｅの内面には内壁３８が互いに内向きに突出されて形成されている。
【００５２】
この例ではノブ６０’はノブ案内軸３２に案内されるのではなく、ボディ３０”の側壁３０ｄ，３０ｅ，３０ｇの内面及び一対の内壁３８によって位置決め案内されて上下動するものとなっている。ノブ６０’の基部６１の４つの側面の各幅方向両端には上下方向に延びる突条６６がそれぞれ形成されており、これら突条６６がボディ３０”の側壁３０ｄ，３０ｅ，３０ｇの内面及び一対の内壁３８と対向されて案内されるものとなっている。なお、この例では第２の実施例と同様、カバー８０”に形成した凸部８８とロータ４０’の凹凸４６とによって節度感を得るものとなっている。
【００５３】
図１３においてノブ６０’は貫通穴６４を有するものとなっているが、貫通穴６４はなくてもよい。ノブ６０’に貫通穴６４を設け、ボディ３０”にも貫通穴６４と対応して貫通穴を設ければ、第１の実施例のプッシュスイッチ１００と同様、後述するように照光式のプッシュスイッチを構成することができる。なお、この例ではノブ案内軸３２がないものとしているが、ノブ案内軸３２がある構成としてもよい。
【００５４】
次に、図１４に示したこの発明の第４の実施例について説明する。
【００５５】
第１の実施例ではプッシュスイッチ１００は端子９１ｃ，９２ｃ，９３ｃがボディ３０の底面３０ｃ及び側壁３０ｄ，３０ｅに配置された構成となっており、プッシュスイッチ１００はＳＭＤ（ｓｕｒｆａｃｅ  ｍｏｕｎｔ  ｄｅｖｉｃｅ）タイプとなっているが、この図１４に示したプッシュスイッチ１００’は接続方式（実装方式）を替え、差込み式としたものである。
【００５６】
この例ではボディ３０の側壁３０ｆには差込み接続用の３本の端子９５が突出して設けられている。各端子９５は固定接点９１ａ，９１ｂ、固定接点９２ａ，９２ｂ及び固定接点９３（図５参照）からそれぞれ導出されている。なお、各端子９５には良好な接触圧が得られるように、図１４に示したような曲げ形状を有する接点部９５ａが形成されている。要求される接続方式に応じ、このような構成を採用することもできる。
【００５７】
以上、この発明によるプッシュスイッチの各種実施例について説明したが、ロータ４０（４０’）の支持構造については、ボディ３０（３０’，３０”）のロータ支持軸３１に支持される構造に限らず、例えばロータ４０（４０’）の上下面４０ａ，４０ｂに軸部をそれぞれ突設し、それら軸部と対向するボディ３０（３０’，３０”）の内部底面３０ｂ及びカバー８０（８０’，８０”）に凹部をそれぞれ設けて、それら凹部によってロータ４０（４０’）の軸部が軸受支持される構造を採用することもできる。
【００５８】
以上説明したプッシュスイッチによれば下記のような効果を得ることができる。
【００５９】
１）押下操作されるノブ６０（６０’）と、回転動作するロータ４０（４０’）とは、ボディ３０（３０’，３０”）に横並びの状態で収容保持され、ノブ６０（６０’）の突部６３とロータ４０（４０’）の第１及び第２の歯４３，４４によって上下動作を回転６０動作に変換するものとなっている。よって、このようなノブ６０（６０’）とロータ４０（４０’）の並設構造により低背なプッシュスイッチ１００（１００’）を得ることができる。
【００６０】
２）ノブ６０（６０’）とロータ４０（４０’）の２部品で上下動作を回転動作に変換し、ロータ４０（４０’）に取り付けられた可動接点５０（５０’）により回路のＯＮ／ＯＦＦを切り替えるものとなっている。よって、図１５に示した従来例に比し、部品点数を削減することができ、その分安価に構成することができる。なお、例えばロータに可動接点をインサート成形すれば、部品点数をさらに削減することができる。
【００６１】
３）ボディ３０（３０’，３０”）に各部品を順次挿入していくことにより、組み立てることができるため、簡易に組み立てることができる。
【００６２】
４）樹脂製のボディ３０（３０’，３０”）、ロータ４０（４０’）及びノブ６０（６０’）はいずれもアンダーカット部がなく、上下金型で作製可能であり、イニシャル費（型代）を抑えることができる。
【００６３】
５）ノブ６０（６０’）は押下操作された際、ボディ３０（３０’，３０”）の内部底面３０ｂに突き当たる構造となっている。よって、過剰な荷重が加えられても耐えることができ、故障等は発生しない。
【００６４】
６）第１の実施例や第２の実施例の構成を採用すれば、良好な節度感を得ることができ、またロータ４０（４０’）の位置（信号位置）を規制することができる。
【００６５】
７）ノブ６０は貫通穴６４を有し、ボディ３０（３０’）のノブ案内軸３２にも貫通穴３３が形成されている。これら貫通穴３３，６４は導光路をなすものであり、例えばプッシュスイッチ１００が実装される基板に光源を配置するだけで、照光式のプッシュスイッチを簡易に得ることができる。光源は貫通穴３３内に位置される。なお、導光路が必要ない場合、ノブ案内軸３２を小径とし、ノブ６０も小さくできるため、プッシュスイッチの小型化を図ることができる。また、ノブ案内軸３２のない第３の実施例の構成において導光路が必要ない場合は、さらにプッシュスイッチの小型化を図ることができる。
【００６６】
８）実施例ではノブ６０（６０’）の１回の操作によりロータ４０（４０’）は３０°回転するものとなっているが、ロータ４０（４０’）の第１及び第２の歯４３，４４の歯数を変えれば、１回の回転角度を変えることができる。例えば、歯数を増やせば１回の回転角度は小さくなり、可動接点５０（５０’）の摺動距離は小さくなるため、高寿命化が可能となる。
【００６７】
９）ノブ６０（６０’）とロータ４０（４０’）の並設構造により上述したように低背化が可能になると共に、このような並設構造により例えばノブ６０（６０’）をロングストローク化することも容易に行える。
【符号の説明】
【００６８】
３０，３０’，３０”  ボディ                  ３１  ロータ支持軸
３２  ノブ案内軸                              ３３  貫通穴
３４  凹凸                                    ３５  凹部
４０，４０’  ロータ                          ４２  穴
４３  第１の歯                                ４３ａ  傾斜面
４４  第２の歯                                ４４ａ  傾斜面
４６  凹凸                                    ５０，５０’  可動接点
５４  凸部                                    ６０，６０’  ノブ
６１  基部                                    ６２  操作部
６３  突部                                    ６４  貫通穴
７０  コイルばね                              ８０，８０’，８０”  カバー
８８  凸部
９１ａ，９１ｂ，９２ａ，９２ｂ，９３  固定接点
９１ｃ，９２ｃ，９３ｃ，９５  端子            １００，１００’  プッシュスイッチ
【図１】
2014135136.tif 000003
【図２】
2014135136.tif 000004
【図３】
2014135136.tif 000005
【図４】
2014135136.tif 000006
【図５】
2014135136.tif 000007
【図６】
2014135136.tif 000008
【図７】
2014135136.tif 000009
【図８】
2014135136.tif 000010
【図９】
2014135136.tif 000011
【図１０】
2014135136.tif 000012
【図１１】
2014135136.tif 000013
【図１２】
2014135136.tif 000014
【図１３】
2014135136.tif 000015
【図１４】
2014135136.tif 000016
【図１５】
2014135136.tif 000017
【図１６】
2014135136.tif 000018